【手続補正書】
【提出日】令和2年3月11日(2020.3.11)
【手続補正１】
【補正対象書類名】特許請求の範囲
【補正対象項目名】全文
【補正方法】変更
【補正の内容】
【特許請求の範囲】
【請求項１】
符号化ビットストリームから少なくとも１つの第２のダイナミックレンジ画像を復号する方法であって、
−前記符号化ビットストリームから第１のダイナミックレンジ画像を復号することと、
−前記符号化ビットストリームから、調整関数ｆadjを表すピボット点の集合を復号することと、
−所定色補正関数ｂp_defaultを選択することと、
−前記選択された所定色補正関数ｂp_defaultを調整し、調整された色補正関数ｂadjを定めることと、
−前記復号された第１のダイナミックレンジ画像と前記調整された色補正関数ｂadjから、前記第１のダイナミックレンジとは異なるダイナミックレンジを有する前記第２のダイナミックレンジ画像を再構築することと、を含む方法。
【請求項２】
少なくとも１つの第２のダイナミックレンジ画像を符号化ビットストリームに符号化する方法であって、
−少なくとも１つの前処理色補正関数ｂ0を使用することにより、前記第２のダイナミックレンジ画像を第１のダイナミックレンジ画像に分解することと、
−前記前処理色補正関数ｂ0から後処理色補正関数ｂpを定めることと、
−所定色補正関数ｂp_defaultを選択することと、
−前記所定色補正関数ｂp_defaultを調整するのに使用される調整関数ｆadjと調整された色補正関数ｂadjとを定めることと、
−前記定められた調整関数ｆadjを表すピボット点の集合を前記符号化ビットストリームに符号化することと、
−前記第２のダイナミックレンジとは異なるダイナミックレンジを有する前記第１のダイナミックレンジ画像を前記符号化ビットストリームに符号化することと、を含む方法。
【請求項３】
前記調整された色補正関数ｂadjは次式：１／ｂadj［Ｙ］＝ｆadj［Ｙ］×（１／ｂp_default［Ｙ］）、ここでＹは輝度値である、により定められる、請求項１または２に記載の方法。
【請求項４】
前記所定色補正関数ｂp_defaultを調整するのに使用される前記調整関数ｆadjを定めることは１／ｂpと１／ｂadj間の誤差の最小化を実行することを含む、請求項２に記載の方法。
【請求項５】
符号化ビットストリームから少なくとも１つの第２のダイナミックレンジ画像を復号する装置であって、
−前記符号化ビットストリームから第１のダイナミックレンジ画像を復号し、
−前記符号化ビットストリームから、調整関数ｆadjを表すピボット点の集合を復号し、
−所定色補正関数ｂp_defaultを選択し、
−前記選択された所定色補正関数ｂp_defaultを調整し、調整された色補正関数ｂadjを定め、
−前記復号された第１のダイナミックレンジ画像と前記調整された色補正関数ｂadjから、前記第１のダイナミックレンジとは異なるダイナミックレンジを有する前記第２のダイナミックレンジ画像を再構築するように構成された少なくとも１つのプロセッサを含む、装置。
【請求項６】
少なくとも１つの第２のダイナミックレンジ画像を符号化ビットストリームに符号化する装置であって、
−少なくとも１つの前処理色補正関数ｂ0を使用することにより、前記第２のダイナミックレンジ画像を第１のダイナミックレンジ画像に分解し、
−前記前処理色補正関数ｂ0から後処理色補正関数ｂpを定め、
−所定色補正関数ｂp_defaultを選択し、
−前記所定色補正関数ｂp_defaultを調整するのに使用される調整関数ｆadjと調整された色補正関数ｂadjとを定め、
−前記定められた調整関数ｆadjを表すピボット点の集合を前記符号化ビットストリームに符号化し、
−前記第２のダイナミックレンジは異なるダイナミックレンジを有する前記第１のダイナミックレンジ画像を前記符号化ビットストリームに符号化する、ように構成された少なくとも１つのプロセッサを含む、装置。
【請求項７】
前記調整された色補正関数ｂadjは次式：１／ｂadj［Ｙ］＝ｆadj［Ｙ］×（１／ｂp_default［Ｙ］）、ここでＹは輝度値である、により定められる、請求項５または６に記載の装置。
【請求項８】
前記所定色補正関数ｂp_defaultを調整するのに使用される前記調整関数ｆadjを定めることは、１／ｂpと１／ｂadj間の誤差の最小化を実行することを含む、請求項６に記載の装置。
【請求項９】
プロセッサにより実行されると請求項１から４のいずれか一項に記載の方法を実行するためのソフトウェアコード命令を含むコンピュータプログラム。
【請求項１０】
請求項５に記載の復号装置を内蔵する電子装置。
【請求項１１】
モバイル装置、通信装置、ゲーム装置、セットトップボックス、テレビセット、タブレット、ラップトップ、ディスプレイおよび復号チップからなる群から選択された請求項１０に記載の電子装置。
【請求項１２】
請求項６に記載の符号化装置を内蔵する電子装置。
【請求項１３】
モバイル装置、通信装置、ゲーム装置、タブレット、ラップトップ、静止画カメラ、ビデオカメラ、符号化チップ、静止画サーバ、およびビデオサーバからなる群から選択された請求項１２に記載の電子装置。
【手続補正２】
【補正対象書類名】明細書
【補正対象項目名】０１０９
【補正方法】変更
【補正の内容】
【０１０９】
多くの実施が説明された。それにもかかわらず、様々な修正がなされ得るということが理解される。例えば、様々な実施の要素は、他の実施を生成するために組み合わせられ、修正され、補完され、または除去され得る。加えて、当業者は「他の構造および処理が、開示されたものを置換し得る」ということと、「その結果の実施は、開示された実施と少なくともほぼ同じ結果を達成するために少なくともほぼ同じやり方で少なくともほぼ同じ機能を実行することになる」ということとを理解することになる。したがって、これらおよび他の実施は本出願により企図される。
上記実施形態の一部又は全部は、以下の付記のようにも記載されうるが、以下には限られない。
（付記１）
符号化ビットストリームから少なくとも１つの高ダイナミックレンジ画像を復号する方法であって、
−前記符号化ビットストリームから標準ダイナミックレンジ画像を復号することと、
−前記符号化ビットストリームから、調整関数ｆadjを表すピボット点の集合を復号することと、
−所定色補正関数ｂp_defaultを選択することと、
−調整された色補正関数ｂadjを次式：１／ｂadj［Ｙ］＝ｆadj［Ｙ］×（１／ｂp_default［Ｙ］）、ここでＹは輝度値である、により定めることと、
−前記復号された標準ダイナミックレンジ画像および前記調整された色補正関数ｂadjから高ダイナミックレンジ画像を再構築することと、を含む方法。
（付記２）
少なくとも１つの高ダイナミックレンジ画像を符号化ビットストリームに符号化する方法であって、
−少なくとも１つの前処理色補正関数ｂ0を使用することにより、前記高ダイナミックレンジ画像を標準ダイナミックレンジ画像に分解することと、
−前記前処理色補正関数ｂ0から後処理色補正関数ｂpを定めることと、
−所定色補正関数ｂp_defaultを選択することと、
−前記所定色補正関数ｂp_defaultを調整するために使用される調整関数ｆadjを次式：１／ｂadj［Ｙ］＝ｆadj［Ｙ］×（１／ｂp_default［Ｙ］）、ここでＹは輝度値である、により定め、調整された色補正関数ｂadjを提供することであって、前記調整関数ｆadjを前記定めることは、１／ｂpと１／ｂadj間の誤差の最小化を実行することを含む、ことと、
−前記定められた調整関数ｆadjを表すピボット点の集合を前記符号化ビットストリームに符号化することと、
−前記標準ダイナミックレンジ画像を前記符号化ビットストリームに符号化することと、を含む方法。
（付記３）
符号化ビットストリームから少なくとも１つの高ダイナミックレンジ画像を復号する装置であって、
−前記符号化ビットストリームから標準ダイナミックレンジ画像を復号し、
−前記符号化ビットストリームから、調整関数ｆadjを表すピボット点の集合を復号し、
−所定色補正関数ｂp_defaultを選択し、
−調整された色補正関数ｂadjを次式：１／ｂadj［Ｙ］＝ｆadj［Ｙ］×（１／ｂp_default［Ｙ］）、ここでＹは輝度値である、により定め、
−前記復号標準ダイナミックレンジ画像および前記調整された色補正関数ｂadjから高ダイナミックレンジ画像を再構築する、ように構成された少なくとも１つのプロセッサを含む装置。
（付記４）
少なくとも１つの高ダイナミックレンジ画像を符号化ビットストリームに符号化する装置であって、
−前処理色補正関数ｂ0を使用することにより、前記高ダイナミックレンジ画像を標準ダイナミックレンジ画像に分解し、
−前記前処理色補正関数ｂ0から後処理色補正関数ｂpを定め、
−所定色補正関数ｂp_defaultを選択し、
−前記所定色補正関数ｂp_defaultを調整するために使用される調整関数ｆadjを次式：１／ｂadj［Ｙ］＝ｆadj［Ｙ］×（１／ｂp_default［Ｙ］）、ここでＹは輝度値である、により定め、調整された色補正関数ｂadjを提供し、
１／ｂpと１／ｂadj間の誤差の最小化を実行することにより、
−前記定められた調整関数ｆadjを表すピボット点の集合を前記符号化ビットストリームに符号化し、
−前記標準ダイナミックレンジ画像を前記符号化ビットストリームに符号化する、ように構成された少なくとも１つのプロセッサを含む装置。
（付記５）
プロセッサにより実行されると付記１または２のいずれか一に記載の方法を実行するためのソフトウェアコード命令を含むコンピュータプログラム。
（付記６）
少なくとも１つの符号化高ダイナミックレンジ画像を表すビットストリームであって、
−前記高ダイナミックレンジ画像から取得された少なくとも１つの標準ダイナミックレンジ画像を表す符号化データと、
−所定色補正関数ｂp_defaultを調整し、調整された色補正関数ｂadjを提供するために使用される調整関数ｆadjを表すピボット点の集合であって、前記調整された色補正関数ｂadjは１／ｂadj［Ｙ］＝ｆadj［Ｙ］×（１／ｂp_default［Ｙ］）、ここでＹは輝度値である、により定められ、前記調整された色補正関数ｂadjは前記復号された標準ダイナミックレンジ画像から前記高ダイナミックレンジ画像を再構築するために使用される、ピボット点の集合を表す符号化データと、を含むビットストリーム。
（付記７）
付記３に記載の復号装置を内蔵する電子装置。
（付記８）
モバイル装置、通信装置、ゲーム装置、セットトップボックス、テレビセット、タブレット、ラップトップ、ディスプレイおよび復号チップからなる群から選択された付記７に記載の電子装置。
（付記９）
付記４に記載の符号化装置を内蔵する電子装置。
（付記１０）
モバイル装置、通信装置、ゲーム装置、タブレット、ラップトップ、静止画カメラ、ビデオカメラ、符号化チップ、静止画サーバ、およびビデオサーバからなる群から選択された付記９に記載の電子装置。